(57)【要約】【課題】画像プレビュー表示において、原稿の位置ズレの確認が容易となり、小さな表示画面でも、原稿を動かして微妙な位置ズレの補正を容易に行うことができる画像表示装置等を提供する。【解決手段】原稿画像を読み取って画像信号に変換する画像読み取り手段と、読み取った原稿画像の隅を切り出して表示手段に表示する表示制御手段とを備える。読み取った画像信号から原稿の４隅、原稿の２隅または原稿の１隅を切り出して表示手段に表示する。切り出した隅の画像を左右反転して表示手段に表示する。切り出した隅の画像を等倍または拡大して表示手段に表示する。【選択図】　　図７
2004104320.tif 000002
【特許請求の範囲】
【請求項１】
原稿画像を読み取って画像信号に変換する画像読み取り手段と、
前記画像読み取り手段で読み取った原稿画像の隅を切り出して表示手段に表示する表示制御手段とを備えたことを特徴とする画像表示装置。
【請求項２】
前記表示制御手段は、読み取った画像信号から原稿の４隅、原稿の２隅または原稿の１隅を切り出して表示手段に表示することを特徴とする請求項１記載の画像表示装置。
【請求項３】
前記表示制御手段は、切り出した隅の画像を左右反転して表示手段に表示することを特徴とする請求項１または２記載の画像表示装置。
【請求項４】
前記表示制御手段は、切り出した隅の画像を等倍または拡大して表示手段に表示することを特徴とする請求項１乃至３記載の画像表示装置。
【請求項５】
前記表示制御手段は、読み取った原稿画像を上下左右にスクロールして表示手段に表示することを特徴とする請求項１乃至４記載の画像表示装置。
【請求項６】
前記画像読み取り手段は、原稿画像の隅の部分のみをスキャンすることを特徴とする請求項１乃至５記載の画像表示装置。
【請求項７】
原稿画像を読み取って画像信号に変換する画像読み取り行程と、
前記画像読み取り行程で読み取った原稿画像の隅を切り出して表示手段に表示する表示制御行程とを実行することを特徴とする画像表示装置の制御方法。
【請求項８】
前記表示制御行程は、読み取った画像信号から原稿の４隅、原稿の２隅または原稿の１隅を切り出して表示手段に表示することを特徴とする請求項７記載の画像表示装置の制御方法。
【請求項９】
前記表示制御行程は、切り出した隅の画像を左右反転して表示手段に表示することを特徴とする請求項７または８記載の画像表示装置の制御方法。
【請求項１０】
前記表示制御行程は、切り出した隅の画像を等倍または拡大して表示手段に表示することを特徴とする請求項７乃至９記載の画像表示装置の制御方法。
【請求項１１】
前記表示制御行程は、読み取った原稿画像を上下左右にスクロールして表示手段に表示することを特徴とする請求項７乃至１０記載の画像表示装置の制御方法。
【請求項１２】
前記画像読み取り行程は、原稿画像の隅の部分のみをスキャンすることを特徴とする請求項７乃至１１記載の画像表示装置の制御方法。
【請求項１３】
原稿画像を読み取って画像信号に変換する画像読み取りステップと、
前記画像読み取りステップで読み取った原稿画像の隅を切り出して表示手段に表示する表示制御ステップとを備えたことを特徴とするコンピュータで実行可能な制御プログラム。
【発明の詳細な説明】
【０００１】
【発明の属する技術分野】
本発明は、画像表示装置に関し、特に読み取った原稿の位置を確認するために画像のプレビュー表示を行う画像表示装置に関する。
【０００２】
【従来の技術】
従来、この種の分野の技術としては、画像入力装置におけるプレビュー画面の表示方法では、スクロール表示モードと縮小表示モードの２種類の表示モードを持ち、使用者の設定によって、スクロール表示モードと縮小表示モードを切り替えることができる機器を組み込むか、スクロール表示モードと縮小表示モードを同時に表示することによって、プレビュー表示モードを選択することができる。
【０００３】
また、画像の位置ズレを補正する手法としては、一般の複写機において原稿画像全体をプレスキャンしてプレビュー画面に表示し画面上で原稿の位置ズレを補正する手法や、スキャナで読み込んだ原稿の画像をパソコン上で自動的に位置ズレを補正するという手法がある（例えば、特許文献１参照）。
【０００４】
【特許文献１】
特開２００２−０１００７１号公報
【０００５】
【発明が解決しようとする課題】
しかしながら、上記従来例では次のような問題点があった。
【０００６】
（１）上述の公報では、スクロール表示方法と縮小表示方法とを同時表示または切り替え表示することによって画像全体の確認と画像細部の確認を可能にしているが、読み取り原稿全体の位置と、微妙な位置合わせのポイントとなる原稿の隅の細部とを一画面で確認することができない。すなわち原稿の位置ズレの確認に手間がかかり操作性が悪いという問題点がある。
【０００７】
（２）上述の一般の複写機において原稿画像全体をプレスキャンしてプレビュー画面に表示する手法においては、画面が小さい場合にはユーザは位置合わせのポイントとなる原稿の隅の部分の位置ズレを正確に確認できないので、原稿を動かして微妙な位置ズレの補正を行うことが難しいという問題点がある。そこで、大型ディスプレイを備え付けてプレビューを行う複写機を利用することも考えられるが、大型ディスプレイは面積を要し原稿ガラスの手元に並行に備え付けることができないので、ユーザは原稿と画面内のプレビュー内容とのマッピングが困難で、原稿を動かしながら位置ズレ補正が自然に行えないという問題点があるだけでなく、コストが高いという問題点もある。
【０００８】
（３）上述した、読み取り画像の位置ズレをパソコン上で自動的に補正するという手法においては、元々入力する原稿がずれていては読み取った画像を加工しても位置ズレの補正には限界があるという問題点がある。
【０００９】
本発明は上記従来の問題点に鑑み、画像のプレビュー表示において、原稿の位置ズレの確認が容易となり、小さな表示画面でも、原稿を動かして微妙な位置ズレの補正を容易に行うことができる画像表示装置等を提供することを目的とする。
【００１０】
【課題を解決するための手段】
上記目的を達成するために、本発明の画像表示装置では、原稿画像を読み取って画像信号に変換する画像読み取り手段と、前記画像読み取り手段で読み取った原稿画像の隅を切り出して表示手段に表示する表示制御手段とを備えたことを特徴とする。
【００１１】
本発明の画像表示装置の制御方法では、原稿画像を読み取って画像信号に変換する画像読み取り行程と、前記画像読み取り行程で読み取った原稿画像の隅を切り出して表示手段に表示する表示制御行程とを実行することを特徴とする。
【００１２】
本発明の制御プログラムでは、原稿画像を読み取って画像信号に変換する画像読み取りステップと、前記画像読み取りステップで読み取った原稿画像の隅を切り出して表示手段に表示する表示制御ステップとを備えたことを特徴とする。
【００１３】
【発明の実施の形態】
以下、本発明の実施の形態を図面に基づいて説明する。
【００１４】
［第一実施形態］
＜装置の構成＞
図１は、本発明の第一実施形態に係る画像表示装置が搭載された複写機の要部構成を示すブロック図である。
【００１５】
同図に示すように、この複写機は、原稿ガラス上に載置された原稿を読み取る画像読み取り部１と、タッチパネル式のディスプレイ２と、ユーザが操作指示を行うための操作ボタン３と、複写機の動作全体を制御するＣＰＵ４と、ＣＰＵ４で実行されるプログラムが格納されたＲＯＭ５と、読み取った画像を記憶するＲＡＭ６と、読み取った画像を用紙に印刷する印刷処理部７とから構成されている。
【００１６】
図２は、図１に示したディスプレイ２と操作ボタン３を備えた、本実施形態における複写機の操作部を示す模式図である。
【００１７】
同図に示すように、操作ボタン３は、数字ボタン、スタートボタン、ストップボタン及びプレビューボタン（ＰＶ）等から成る。ユーザは、原稿７０を原稿ガラス１１の上に置き、タッチパネル式のディスプレイ２と操作ボタン３とを用いて印刷操作を行うようになっている。
【００１８】
＜第一実施形態に係るユーザの操作と装置の動作＞
次に、図３のフローチャートを参照しつつ、第一実施形態に係るユーザの操作と画像表示装置の動作を説明する。なお、図３に示す動作に関わる処理を行うプログラムはＲＯＭ５内に記憶されており、ＣＰＵ４で実行される。
【００１９】
まずステップＳ１０１において、用紙サイズ設定、印刷倍率設定、及び印刷枚数設定等を行う。ここでは、用紙サイズがＡ４、印刷倍率が等倍、印刷枚数が１枚と設定すると、設定結果がディスプレイ２に表示される（図２参照）。次のステップＳ１０２において、ユーザは原稿ガラス１１の上に原稿７０を置く（図２参照）。原稿７０の印刷面には図４のような画像が描かれているものとする。
【００２０】
続くステップＳ１０３においては、ユーザがプレビューボタン（ＰＶ）を押すと、原稿ガラス１１上に置かれた原稿７０の画像がＲＡＭ６に読み込まれる。ＲＡＭ６に読み込まれた画像は、印刷用紙サイズに応じて上下左右の４隅の領域Ｘ１、Ｘ２、Ｘ３、Ｘ４が切り出される（図５参照）。ここで、Ｘ１、Ｘ２、Ｘ３、Ｘ４の各領域内に図示された点線Ｚ１、Ｚ１、Ｚ２、Ｚ３、Ｚ４は印刷用紙領域を表す。さらに、Ｘ１、Ｘ２、Ｘ３、Ｘ４の各領域はＣＰＵ４によって左右反転処理が施され、Ｘ１→Ｙ１、Ｘ２→Ｙ２、Ｘ３→Ｙ３、Ｘ４→Ｙ４と等倍に変換されて、Ｙ１、Ｙ２、Ｙ３、Ｙ４（図６参照）はＲＡＭ６に記憶される。ここで、Ｙ１、Ｙ２、Ｙ３、Ｙ４の各領域内に図示された点線Ｚ１、Ｚ１、Ｚ２、Ｚ３、Ｚ４は印刷用紙領域を表す。
【００２１】
ステップＳ１０４において、プレビューが行われＲＡＭ６に記憶されている各領域Ｙ１、Ｙ２、Ｙ３、Ｙ４（図６参照）の画像がディスプレイ２上に原稿７０に対して等倍表示される（図７参照）。ステップＳ１０５で、ユーザは印刷ズレが所望の範囲内かどうか確認する。印刷ズレが所望の範囲内でなければ、再度ステップＳ１０２に戻って原稿をずらし、ステップＳ１０３において、再びプレビューボタン（ＰＶ）を押してプレスキャンを行い、ステップＳ１０４においてプレビューを行う（図８参照）。
【００２２】
ステップＳ１０５において印刷ズレが所望の範囲内であると確認したならば、スタートボタンを押し、ステップＳ１０６で本スキャンを行い、ステップＳ１０７において本スキャンした画像を用紙に印刷する。
【００２３】
このように、原稿の上下左右の４隅を切り出し左右反転して等倍でプレビューすることにより、大型ディスプレイを必要とせずに、ユーザはどれだけ原稿を回転させ、何れの方向にどれだけ原稿をずらせば所望の印刷結果が得られるかが容易に確認でき、印刷ミスを減少させることができる。
【００２４】
なお、上記実施形態では、原稿の上下左右の４隅をプレビュー表示するようにしたが、原稿と用紙のサイズが決まっている場合、最低２つの隅の位置決めができれば良い。例えば、図９に示すように、原稿の下の２隅（Ｘ３→Ｙ３、Ｘ４→Ｙ４）（図５、図６参照）をプレビュー表示することによって、原稿の正確な位置決めを行うことも可能である。
【００２５】
また、原稿と用紙のサイズが決まっている場合、原稿ガラス１１上において左上（Ｘ２→Ｙ２）（図５、図６）の位置決めは容易であるが、右下（Ｘ４→Ｙ４）（図５、図６）の位置決めは困難である場合がある。そこで、図１０に示すように、原稿の下の１隅（Ｘ４→Ｙ４）（図５、図６参照）のみを拡大してプレビュー表示することにより、原稿の位置を微妙に調節して正確な位置決めを行うことも可能である。
【００２６】
［第二実施形態］
図１１は、本発明の第二実施形態に係る画像表示装置が搭載された複写機の操作部を示す模式図であり、上記第一実施形態と共通の要素には同一の符号を付し、その説明を省略する。
【００２７】
同図に示すように本実施形態では、上記第一実施形態の構成において、ディスプレイ２の近傍に、読み取った画像を左右にスクロールする左右スクロールダイヤル２１と、読み取った画像を上下にスクロールする上下スクロールダイヤル２２とを備えた点が特徴となっている。
【００２８】
＜第二実施形態に係るユーザの操作と装置の動作＞
次に、図１２のフローチャートを参照しつつ、第二実施形態に係るユーザの操作と画像表示装置の動作を説明する。なお、図１２に示す動作に関わる処理を行うプログラムはＲＯＭ５内に記憶されており、ＣＰＵ４で実行される。
【００２９】
まずステップＳ１０４において、プレビューが行われＲＡＭ６に記憶されている各領域Ｙ１、Ｙ２、Ｙ３、Ｙ４（図６）の画像が、図１１に示すようにディスプレイ２上に原稿７０に対して等倍表示される。ステップＳ１０５で、ユーザは原稿の角度のズレが所望の範囲内かどうか確認する。角度ズレが所望の範囲内でなければ、再度ステップＳ１０２に戻って原稿を回転し、ステップＳ１０３において、プレビューボタン（ＰＶ）を押してプレスキャンを行い、ステップＳ１０４においてプレビューを行う（図１３）。
【００３０】
ステップＳ１０５において原稿の角度のズレが所望の範囲内であると確認したならば、ステップＳ２０６において読み取り範囲を上下左右にスクロールする。左右スクロールダイヤル２１を左に回転させれば、図５のＸ１〜Ｘ４の各領域はダイヤルの回転角に応じて右に移動し、それらを左右反転させたＹ１〜Ｙ４が図１４のようにディスプレイ２に表示される（ステップＳ２０７）。上下スクロールダイヤル２２を上に回転させれば、図５のＸ１〜Ｘ４の各領域はダイヤルの回転角に応じて下に移動し、それらを左右反転させたＹ１〜Ｙ４が図１５のようにディスプレイ２に表示される（ステップＳ２０７）。
【００３１】
そしてステップＳ２０８で、ユーザは印刷ズレが所望の範囲内かどうか確認する。印刷ズレが所望の範囲内でなければ、再度ステップＳ２０６に戻って読み取り範囲を上下左右にスクロールする。ステップＳ２０８において印刷ズレが所望の範囲内であると確認したならば、スタートボタンを押し、ステップＳ１０６で本スキャンを行い、ステップ１０７において本スキャンした画像を用紙に印刷する。
【００３２】
このように本実施形態では、スクロールダイヤル２１，２２を用いて、ディスプレイ２を見ながら、印刷画像の上下左右の細かい位置合わせが可能になる。
【００３３】
なお、上記第一及び第二実施形態では、プレスキャンの際に原稿全体を読み取っているが、原稿と用紙のサイズの設定に応じて、原稿の４隅のみプレスキャンしても良い。また、原稿の下の２隅をプレビュー表示する場合には、原稿の２隅のみプレスキャンしても良い。さらに、原稿の下の１隅のみを拡大してプレビュー表示する場合には、原稿の１隅のみプレスキャンしても良い。これによって、プレスキャンに要する時間を短縮することができる。
【００３４】
本発明は、上述した実施形態の装置に限定されず、複数の機器から構成されるシステムに適用しても、１つの機器から成る装置に適用しても良い。前述した実施形態の機能を実現するソフトウェアのプログラムコードを記憶した記憶媒体をシステムあるいは装置に供給し、そのシステムあるいは装置のコンピュータ（またはＣＰＵやＭＰＵ）が記憶媒体に格納されたプログラムコードを読み出し実行することによっても、完成されることは言うまでもない。
【００３５】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部または全部を行い、その処理によって前述した実施形態の機能が実現される場合も含まれることは言うまでもない。
【００３６】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部または全部を行い、その処理によって前述した実施形態の機能が実現される場合も含まれることは言うまでもない。
【００３７】
【発明の効果】
以上詳細に説明したように本発明の画像表示装置によれば、原稿の位置ズレの確認が容易となり、小さな表示画面でも、原稿を動かして微妙な位置ズレの補正を容易に行うことが可能になる。
【図面の簡単な説明】
【図１】本発明の第一実施形態に係る画像表示装置が搭載された複写機の要部構成を示すブロック図である。
【図２】第一実施形態における複写機の操作部を示す模式図である。
【図３】第一実施形態に係るユーザの操作と装置の動作を示すフローチャートである。
【図４】原稿の印刷面を示す図である。
【図５】原稿の４隅の切り出し領域を示した図である。
【図６】原稿を左右反転させた切り出し領域を示す図である。
【図７】第一実施形態に係るズレ補正前のプレビュー表示を示す図である。
【図８】第一実施形態に係るズレ補正後のプレビュー表示を示す図である。
【図９】原稿の下の２隅をプレビュー表示した例を示す図である。
【図１０】原稿の下の１隅のみを拡大してプレビュー表示した例を示す図である。
【図１１】本発明の第二実施形態に係る画像表示装置が搭載された複写機の操作部を示す模式図である。
【図１２】第二実施形態に係るユーザの操作と装置の動作を示すフローチャートである。
【図１３】原稿を左右反転させた切り出し領域を示す図である。
【図１４】第二実施形態に係るズレ補正前のプレビュー表示を示す図である。
【図１５】第二実施形態に係るズレ補正後のプレビュー表示を示す図である。
【符号の説明】
１　画像読み取り部
２　ディスプレイ
３　操作ボタン
４　ＣＰＵ
５　ＲＯＭ
６　ＲＡＭ
７　印刷処理部
１１　原稿ガラス
２１，２２　スクロールダイヤル
７０　原稿
【図１】
2004104320.tif 000003
【図２】
2004104320.tif 000004
【図３】
2004104320.tif 000005
【図４】
2004104320.tif 000006
【図５】
2004104320.tif 000007
【図６】
2004104320.tif 000008
【図７】
2004104320.tif 000009
【図８】
2004104320.tif 000010
【図９】
2004104320.tif 000011
【図１０】
2004104320.tif 000012
【図１１】
2004104320.tif 000013
【図１２】
2004104320.tif 000014
【図１３】
2004104320.tif 000015
【図１４】
2004104320.tif 000016
【図１５】
2004104320.tif 000017